(57)【特許請求の範囲】
【請求項１】
トンネルの段部の下側側壁に取付部を配置し、
内装パネルを前記取付部を介して浮かし張りで設け、
前記内装パネルの上縁を前記下側側壁の上縁よりも上側に突出して配置することを特徴とする内装パネル取付構造。
【請求項２】
前記取付部に長手方向に沿って溝が形成され、
前記取付部を前記溝が縦方向に延びるようにして所定間隔で前記下側側壁に配置することを特徴とする請求項１記載の内装パネル取付構造。
【発明の詳細な説明】
【技術分野】
【０００１】
本発明は、例えば内装タイルが縦横に配置されている内装パネルをトンネル内壁面における段部の下側側壁に取り付ける際に適用する、内装パネル取付構造に関する。
【背景技術】
【０００２】
従来、道路トンネル等のトンネルでは、美観や視認性の向上のために、その内壁面に内装タイルが設置されている。内装タイルは、古いトンネルでは、内壁面に直接タイルを１枚１枚貼り付けて設置されているが、近年では、予め工場において、トンネル内壁面に沿った曲面形状の基板に多数の内装タイルを縦横に並べた状態で接着して内装パネルとし、この内装パネルをトンネル内壁面に直接取り付けることも行われている。この種の内装パネルは、アンカーやビス等によってトンネル内壁面に直接固定され（所謂「タイルパネル直張り工」）、必要に応じて縦横に並列して設置される（特許文献１、２参照）。この種の直接固定する内装パネルは、被取付面に凹凸や他の取付物があっても該被取付面から取付金具を介して所定の間隔をあけて平板状のタイルパネルを配置する方式（所謂「タイルパネル浮かし張り工」特許文献３参照）に比して、施工性が良く、内装パネル取付構造としての厚みが薄い為に内空断面を侵さないというメリットがあり、両者は取付構造及び組立方法として大別される。
【先行技術文献】
【特許文献】
【０００３】
【特許文献１】特開２００８−１９０２９５号公報
【特許文献２】特開２００６−２６５８４７号公報
【特許文献３】特開平１０−２９９１４４号公報
【発明の概要】
【発明が解決しようとする課題】
【０００４】
ところで、道路トンネルの監視員通路の下側側壁は、通過車両の視界に入り易い箇所であるが、その直ぐ下に排水路が設けられ、トンネル内壁面である覆工面から漏水が導水されて集まる箇所であるため、漏水による汚れが激しいという問題がある。特に前記内装パネルを被取付面に直接固定する場合には漏水が内装パネル表面を伝わって流れ落ちる為に汚れが著しい。更に、監視員通路の下側側壁以外のトンネルの他の段部の下側側壁にも、同様の問題が生じ得る。
【０００５】
本発明は上記課題に鑑み提案するものであって、道路トンネルの監視員通路などトンネルの段部における排水を、段部の下側側壁と内装パネルとの間の導水空間に確実に流し、段部の下側側壁の内装パネルの表面が汚れることを防止することができ、内装表面の良好な美観や視認性を確保することができる内装パネル取付構造を提供することを目的とする。
【課題を解決するための手段】
【０００６】
本発明の内装パネル取付構造は、トンネルの段部の下側側壁に取付部を配置し、内装パネルを前記取付部を介して浮かし張りで設け、前記内装パネルの上縁を前記下側側壁の上縁よりも上側に突出して配置することを特徴とする。
この構成によれば、道路トンネルの監視員通路などトンネルの段部における排水を、内装パネルの背面側である段部の下側側壁と内装パネルとの間の導水空間に確実に流し、段部の下側側壁の内装パネルの表面が汚れることを防止することができ、内装面の良好な美観や視認性を確保することができる。
【０００７】
本発明の内装パネル取付構造は、前記取付部に長手方向に沿って溝が形成され、前記取付部を前記溝が縦方向に延びるようにして所定間隔で前記下側側壁に配置することを特徴とする。
この構成によれば、取付部の間の導水空間に排水を流すことができると共に、取付部においても溝を用いて排水することができ、よりスムーズに排水することが可能となる。
【発明の効果】
【０００８】
本発明の内装パネル取付構造では、道路トンネルの監視員通路などトンネルの段部における排水を、内装パネルの背面側である段部の下側側壁と内装パネルとの間の導水空間に確実に流し、段部の下側側壁の内装パネルの表面が汚れることを防止することができ、内装面の良好な美観や視認性を確保することができる。
【図面の簡単な説明】
【０００９】
【図１】本発明による実施形態の内装パネル取付構造が設置されるトンネルの縦断面図。
【図２】（ａ）は図１のトンネルに於ける監視員通路側の一部を示す縦断面図、（ｂ）はその正面図。
【図３】監視員通路側の一部における排水を説明する縦断説明図。
【図４】（ａ）は図１のトンネルに於ける監査廊側の一部を示す縦断面図、（ｂ）はその正面図。
【図５】図４（ａ）の監視員通路の下側側壁に於ける実施形態の内装パネル取付構造の拡大縦断面図。
【図６】（ａ）は図４（ａ）の監視員通路の下側側壁に於ける実施形態の内装パネル取付構造の正面図、（ｂ）はその平面図。
【図７】（ａ）は図６のＡ部の拡大平面図、（ｂ）は図６のＢ部の拡大正面図、（ｃ）は図５のＣ部の拡大断面図、（ｄ）は図６のＸ−Ｘ断面図。
【図８】（ａ）は図６のＤ部の拡大平面図、（ｂ）は図６のＥ部の拡大正面図。
【発明を実施するための形態】
【００１０】
〔実施形態の内装パネル取付構造〕
本発明による実施形態の内装パネル取付構造について説明する。
【００１１】
本実施形態の内装パネル取付構造は、図１〜図４に示すように、トンネル１０の内壁面１１に設けられており、そのトンネル内壁面１１は凹曲面のコンクリート製の覆工面になっている。トンネル１０内には、図示左側に監視員通路１２が形成され、監視員通路１２の側壁１２１とトンネル１０の段部の下側側壁に相当する監視員通路１２の下側の下側側壁１２２に内装パネル３０がそれぞれ設けられており、下側側壁１２２の下部に沿って排水路１３が設けられている。また、その図示右側には監査廊１４が形成され、監査廊１４の側壁１４１に内装パネル３０が設けられていると共に、監査廊１４の下側側壁に沿って排水路１５が設けられている。図中、１６はトンネル１０の底部に打設したインバートコンクリートである。
【００１２】
内装パネル３０は、図３〜図８に示すように、取付部２０を介在してトンネル内壁面１１である側壁１２１、下側側壁１２２及び側壁１４１に直接取り付けられる。取付部２０は、長手方向に沿って溝２１が形成され、溝２１が縦方向に延びるようにしてトンネル内壁面１１の側壁１２１、トンネル１０の段部の下側側壁に相当する下側側壁１２２及び側壁１４１に所定間隔で配置され固定される。本例の取付部２０は、高じん性ボード等の可撓性の略矩形帯板状の取付板２２と、取付板２２の厚さ方向における一方の面の両側に、長手方向に沿ってそれぞれ延設されているシール材２３とから構成され、両側のシール材２３・２３と取付板２２とで形成される凹部が溝２１になっている。取付部２０は、取付板２２をトンネル内壁面１１に沿わせるようにして配置され、後述する第１アンカー４１と第２アンカー４２とでトンネル内壁面１１に固定される。
【００１３】
内装パネル３０は、高じん性ボード等からなり内壁面１１の曲面形状に沿うよう可撓性を有する略矩形平板状の基板３１と、基板３１の片面側に接着材等で固着される陶磁器製等で略矩形平板状である内装タイル３２とから構成される。内装タイル３２は、基板３１の片面側に縦横に並列配置されて複数固着され、内装タイル３２側をトンネル内壁面１１と逆側に向けて配置されている。内装パネル３２の大きさや目地幅は適宜である。
【００１４】
また、内装パネル３０は、トンネル１０の段部の下側側壁に相当する監視員通路１２の下側側壁１２２において、その上縁を下側側壁１２２の上縁よりも上側に突出して配置されており、側壁１２１に設けられている内装パネル３０と側壁１２１との間の導水空間を流れる漏水が監視員通路１２上を流れ、内装パネル３０の上縁で内装パネル３０の表面側に漏出しないようにして、下側側壁１２２に設けられている内装パネル３０と下側側壁１２２との間の導水空間を漏水が流れ、排水路１３に入って排水されるようになっている。
【００１５】
内装パネル３０には、所定箇所で縦横に隣接して並ぶ４枚の内装タイル３２のコーナー部と、所定箇所の縁部で縦に隣接して並ぶ２枚の内装タイル３２のコーナー部とに、内装タイル３２を対角線方向に斜めに切除した切欠部３３が形成されている。前者の４枚の内装タイル３２のコーナー部における切欠部３３は略菱形の基板露出部３４を構成し、後者の２枚の内装パネル３２のコーナー部に於ける切欠部３３は、隣接する別の内装パネル３０に形成されている対応する切欠部３３と共に略菱形の基板露出部３４を構成する。各基板露出部３４では、後述する第２アンカー４２、第３アンカー４３が打設され、内装パネル３０がトンネル内壁面１１に取り付けられる。
【００１６】
取付部２０は、図１〜図６に示すように、トンネル内壁面１１に沿わせて縦方向に延びるようにし、取付板２０をトンネル内壁面１１側に、溝２１をその逆側にして配置され、図７（ｄ）のように、長手方向に所定間隔を開けて第１アンカー４１を敷目板２２を貫通するようにトンネル内壁面１１に打設することにより、トンネル内壁面１１に固定される。また、左右に隣接して配置される内装パネル３０の隣接箇所は、取付部２０の溝２１に対応するようにして配置され、隣接する内装パネル３０の相互間隔が溝２１の溝幅より小さくなるようにして設けられており、各内装パネル３０の基板３１がシール材２３に載置され、内装パネル３０は取付部２０を介して浮かし張りで設けられる。
【００１７】
左右に隣接する内装パネル３０の基板露出部３４では、図７（ａ）〜（ｃ）に示すように、取付部２０の長手方向に所定間隔を開けて第２アンカー４２を取付板２２を貫通するようにトンネル内壁面１１に打設することにより、取付部２０がトンネル内壁面１１に固定される。第２アンカー４２による固定部分では、隣接する内装パネル３０に跨るように基板３１の外側に、トンネル内壁面１１側である内面側にシール材が施されているシール付座金４２１が配置され、固定部材である第２アンカー４２をシール付座金４２１と取付部２０を貫通するようにしてトンネル内壁面１１に打設する。
【００１８】
また、本実施形態では、内装パネル３０の左右方向の略中央に対応する位置にも上記と同様に第１アンカー４１で固定されて取付部２０が設けられており、この略中央位置の取付部２０に、内装パネル３０の４枚の内装タイル３２のコーナー部における基板露出部３４が対応して配置される。そして、この基板露出部３４では、図８（ａ）、（ｂ）に示すように、取付部２０の長手方向に所定間隔を開けて第３アンカー４３を取付板２２を貫通するようにトンネル内壁面１１に打設することにより、取付部２０がトンネル内壁面１１に固定される。第３アンカー４３による固定部分でも、隣接する内装パネル３０に跨るように基板３１の外側に、トンネル内壁面１１側である内面側にシール材が施されているシール付座金４３１が配置され、第３アンカー４３をシール付座金４３１と取付部２０を貫通するようにしてトンネル内壁面１１に打設する。
【００１９】
各内装パネル３０の上端部では、最上部に位置する内装タイル３２が基板３１よりも上方に突出して設けられており、その下端部では、最下部に位置する内装タイル３２よりも基板３１が下方に突出して設けられている（図５参照）。そして、内装パネル３０を上下に隣接して並べて配置する場合に、トンネル内壁面１１の逆側において下側の内装パネル３０の上端部である内装タイル３２が、上側の内装パネル３０の下端部である基板３１に被るようにして配置され、下側の内装パネル３０と上側の内装パネル３０とを相決り形状で係合される。
【００２０】
本実施形態によれば、内装パネル３０の上縁を下側側壁１２２の上縁よりも上側に突出して配置することにより、監視員通路１２等における排水を、内装パネル３０の背面側である下側側壁１２２と内装パネル３０との間の導水空間に確実に流し、下側側壁１２２に設置されている内装パネル３０の表面が汚れることを防止することができ、内装面の良好な美観や視認性を確保することができる。また、取付部２０を溝２１が縦方向に延びるようにして所定間隔で下側側壁１２２に配置することにより、取付部２０の間の導水空間に排水を流すことができると共に、取付部２０においても溝２１を用いて排水することができ、よりスムーズに排水することが可能となる。
【００２１】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記変形例も包含する。
【００２２】
例えば上記実施形態における取付部２０は、細長矩形状の取付板２２の片面側の両側にシール材２３を配置し、断面視略コ字形としたが、取付板２２自体を断面略コ字形とする構成、或いは溝２１の形状を断面視略半円形とするなど適宜であり、又、その設置位置も適宜である。
【００２３】
また、取付部２０は、下側側壁１２２側であるトンネル内壁面１１側に溝２１等が向けられるように配置し、第一アンカー４１、第二アンカー４２等で固定する構成としてもよい。この構成によれば、トンネル内壁面１１の覆工面から漏水する汚水を溝２１等内により確実時に導いて、溝２１等内を流して汚水をより確実に排水することができる。
【産業上の利用可能性】
【００２４】
本発明は、例えば内装タイルが縦横に配置されている内装パネルをトンネルの監視員通路の下側側壁に取り付ける場合等に利用することができる。
【符号の説明】
【００２５】
１０…トンネル  １１…内壁面  １２…監視員通路  １２１…側壁  １２２…下側側壁  １３…排水路  １４…監査廊  １４１…側壁  １５…排水路  １６…インバートコンクリート  ２０…取付部  ２１…溝  ２２…取付板  ２３…シール材  ３０…内装パネル  ３１…基板  ３２…内装タイル  ３３…切欠部  ３４…基板露出部  ４１…第１アンカー  ４２…第２アンカー  ４２１…シール付座金  ４３…第３アンカー  ４３１…シール付座金
【図１】
0005346898.tif 000002
【図２】
0005346898.tif 000003
【図３】
0005346898.tif 000004
【図４】
0005346898.tif 000005
【図５】
0005346898.tif 000006
【図６】
0005346898.tif 000007
【図７】
0005346898.tif 000008
【図８】
0005346898.tif 000009